(57)【要約】      （修正有）【課題】情報が記載された従来のメークアップシートを用いることなく、簡単且つ確実に化粧方法を把握することが可能な化粧料容器を提供する。【解決手段】化粧時の使用部位の背面に相当する容器１の一部に、少なくとも化粧の開始点を指示する指示標識５を備えた化粧ガイド表示４を設ける。化粧ガイド表示は、少なくとも２本の直線で構成される指示標識５ａ、５ｂを備え、これらの直線が顔の任意の部位を指し示すように容器の位置をセットすることで化粧開始点を位置決めする。【選択図】図３
0003198371.tif 000002
【実用新案登録請求の範囲】
【請求項１】
容器の一部に、少なくとも化粧の開始点を指示する化粧ガイド表示を設けた化粧料容器。
【請求項２】
前記化粧ガイド表示は、容器の化粧時の使用部位の背面に相当する部分に設けられていることを特徴とする請求項１に記載の化粧料容器。
【請求項３】
前記化粧ガイド表示は、少なくとも２本の直線で構成される指示標識を備え、これらの直線が顔の任意の部位を指し示すように容器の位置をセットすることで化粧開始点を位置決めすることができる請求項１または２に記載の化粧料容器。
【請求項４】
前記化粧ガイド表示は、少なくとも２つの印で構成される指示標識を備え、これらの印と化粧ガイドの任意の部分とを結んだ仮想直線が顔の任意の部位を指し示すように容器の位置をセットすることで化粧開始点を位置決めすることができる請求項１または２に記載の化粧料容器。
【請求項５】
前記化粧ガイド表示において、所定の中心角度で設けられた前記指示標識を、所定の中心角度内のずらし幅でずらしながら複数組設けたことを特徴とする請求項１ないし４のいずれか１項に記載の化粧料容器。
【請求項６】
円形の化粧ガイド表示の円周付近に、一定の間隔をおいて複数種類の印からなる指示標識を繰り返し複数組表示し、これらの指示標識で対向する位置同士のものを結んで形成される仮想直線が顔の任意の部位を指し示すようにセットすることで化粧開始点を位置決めすることができる請求項１または２に記載の化粧料容器。
【請求項７】
前記化粧ガイド表示は、化粧料を塗布する部位、化粧開始点、塗布方向などを模式的に図示したことを特徴とする請求項１または２に記載の化粧料容器。
【請求項８】
前記化粧ガイド表示は、鏡像文字で構成される指示標識を備え、鏡に映り込んだそれらの鏡像文字を視認して化粧開始点を位置決めすることができる請求項１または２に記載の化粧料容器。
【考案の詳細な説明】
【技術分野】
【０００１】
本考案は、化粧開始点などの化粧ガイド方法を容器の一部に表示した化粧料容器に関するものである。
【背景技術】
【０００２】
従来、化粧方法を具体的に指示する情報が記載された所謂メークアップシートを用い、かかるシートの指示に従いながら化粧を施すことにより、美容カウンセラーや販売員などの指示や助言を逐一受けることなく効果的なメイクアップが可能となっている（特許文献１〜３）。
【０００３】
ところで、このようなメークアップシートを用いる場合、その都度シートに記載された情報を確認しながらメイクアップを行う必要があり、作業が煩雑であるとともに、間違いの元でもあった。
【０００４】
特に、メイクアップについて不慣れな初心者がかかるメークアップシートを参考にしながら精妙なメイクを施す際、メークアップシートを参照した後に鏡を見て化粧を開始すると、鏡の中では実像が反転するため、化粧の開始地点が分からなくなったり、うっかり間違えたりする場合があった。  
【先行技術文献】
【特許文献】
【０００５】
【特許文献１】特許第５０８６１２６号
【特許文献２】特開２００６−１４９２１
【特許文献３】特開２０１３−７８４６７
【考案の概要】
【考案が解決しようとする課題】
【０００６】
そこで本考案は、情報が記載された従来のメークアップシートを用いることなく、簡単且つ確実に化粧料の方法を把握することが可能な化粧料容器を提供することをその課題とするものである。
【課題を解決するための手段】
【０００７】
本考案は、上記課題を解決するものであり、容器の一部に、少なくとも化粧の開始点を指示する化粧ガイド表示を設けた化粧料容器である。
【考案の効果】
【０００８】
本考案に係る化粧料容器は、容器の一部に、少なくとも化粧の開始点を指示する化粧ガイド表示を設けることにより、情報が記載されたメークアップシートに頼ることなく、化粧料を簡便、容易に塗布することができる。
【０００９】
また、本考案に係る化粧料容器であって、化粧ガイド表示が容器の化粧時の使用部位の背面に相当する部分に設けられているものは、鏡に映り込んだ当該化粧ガイド表示を確認することができるため、鏡を見ながら容易に化粧開始点等を確認することができる。
【００１０】
さらに、本考案に係る化粧料容器で、所定の中心角度で設けられた化粧ガイド表示の指示標識を所定の中心角度内のずらし幅でずらしながら複数組設けたものは、容器の角度調整を必要最低限の範囲で済ますことができる。
【００１１】
さらに、本考案に係る化粧料容器で、指示標識が鏡像文字で構成されるものは、鏡に映り込んだそれらの鏡像文字を視認して化粧開始点等を確認することができる。
【００１２】
さらに、本考案に係る化粧料容器で、化粧ガイド表示が、塗布する部位や化粧開始点、塗布方向等を模式的に図示したものは、化粧の直前または化粧をしながらでも、化粧開始点や塗布方向について容易に確認することができる。
【図面の簡単な説明】
【００１３】
【図１】本考案に係る化粧料容器の正面図
【図２】本考案に係る化粧料容器の化粧ガイド表示の（ａ）第一実施態様、（ｂ）第二実施態様、（ｃ）第三実施態様、（ｄ）第四実施態様、（ｅ）第五実施態様、（ｆ）第六実施態様を表した図
【図３】本考案に係る化粧料容器の使用方法を模式的に表した図
【考案を実施するための形態】
【００１４】
以下、本考案の化粧料容器を、図面に基づいて具体的に説明する。なお、本考案はこれら実施態様に何ら制約されるものではない。
【００１５】
図１は、本考案の化粧料容器の一例であって、パフと一体型のチーク用化粧料容器である。本化粧料容器は、パウダー状のチーク用化粧料を収納可能な本体部１と、本体部１の上部に一体に設けられたパフ部２と、本体部１の上部に冠着される蓋部３とからなる。なお、本考案の化粧料容器はこれに限らず、口紅容器や、マスカラ塗布具等、化粧料収納部と塗布部を備えたその他の化粧料容器であってもよい。また、本実施態様の容器の本体部１は断面形状が円形に形成されているが、形状はこれに限らず、楕円形、多角形などでもよく、特に断面形状が回転対称に形成されているものが好ましい。
【００１６】
本考案の化粧料容器には、化粧ガイド表示４が設けられている。この化粧ガイド表示４は、少なくとも化粧の開始点を指示するものであり、さらに、化粧の塗布方向や塗布量、化粧の順番などを指示するものであってもよい。
【００１７】
化粧ガイド表示４は、化粧料容器の一部であって、鏡を見ながら化粧を行う際に、鏡に映り込んで使用者から視認可能な部分に設けることが好ましい。具体的には、容器の化粧時の使用部位の背面部分、すなわち、本実施態様の場合は化粧時の使用部位であるパフ部２の背面に相当する本体部１の底面１１に設けることが好ましい。このように、化粧ガイド表示４を容器の化粧時の使用部位の背面に相当する部分に表示することにより、鏡に向かって使用する際に鏡に映り込む化粧ガイド表示４を確認しながらメイクアップを行うことができる。
【００１８】
化粧ガイド表示４には、化粧料容器を化粧開始点にセットするために用いられる指示標識５が設けられている。指示標識５は、少なくとも２本の直線で構成され、これらの直線が顔の任意の部位を指し示すように容器の位置をセットすることで、化粧開始点を位置決めすることができる。さらに、指示標識５は、少なくとも２つの印で構成してもよく、その場合、これらの印と化粧ガイドの任意の部分（例えば中心点）とを結んだ仮想直線が顔の任意の部位を指し示すように容器の位置をセットすることで、化粧開始点を位置決めすることができる。
【００１９】
図２では、化粧ガイド表示４の具体的な実施態様を示す。図２（ａ）は、化粧ガイド表示４の第一態様であって、本体部１の底面１１の形状に合わせて円形に設けられた化粧ガイド表示４に、他の部分とは色分けされた指示標識５が表示されている。かかる指示標識５は、円形の化粧ガイド表示４の約４分の１を占める扇形状に形成され、化粧ガイド表示４の中心から所定の中心角で形成された２つの辺部（指示標識５ａ、５ｂ）を顔の任意の２点を指し示すようにセットすることで、化粧開始点を位置決めすることができる。
【００２０】
図３は、本実施態様の化粧ガイド表示４によって、化粧開始点を位置決めする様子を表したものである。図に示すように、まず、本体部１の底面１１が鏡に映り込むようにして保持し、鏡に映った化粧ガイド表示４を見ながら、まず、指示標識５ａ部分の延長線が使用者の黒目の中心を指し示すように横の位置を合わせる。次に、同じように、指示標識５ｂ部分の延長線が使用者の小鼻の中心を指し示すように縦の位置を合わせる。このように、指示標識５ａ、５ｂの方向を顔の任意の２点に合わせることで、化粧の開始点を位置決めすることができる。
【００２１】
なお、反対側の頬において化粧を行う場合は、化粧料容器を反時計回りに約９０度回転するように持ち替えて、指示標識５ｂ部分が黒目を、また、指示標識５ａ部分が小鼻を指し示すようにすれば化粧開始点の位置決めができる。  
【００２２】
図２（ｂ）は、化粧ガイド表示４の第二態様であって、このものは、２つの菱形の印に形成された指示標識５ａ、５ｂを化粧ガイド表示４の円周付近に表示し、かかる２つの指示標識５ａ、５ｂと化粧ガイド表示４の中心点を結んだ仮想直線Ｘ、Ｙの延長線が指し示す方向を顔の任意に２点に合わせることで、化粧の開始点を位置決めすることができる。
【００２３】
なお、上記の第一および第二の実施態様のものは、頬の左右で使い分ける際に、少なくとも容器を約９０度回転させる必要がある。そこで、以下の実施態様のものは、その回転させる手間を減らすために、所定の中心角度（本実施態様では９０度）で設けられた指示標識５ａ、５ｂを該中心角度内のずらし幅でずらしながら複数組設けている。
【００２４】
すなわち、図２（ｃ）は、本発明の第三実施態様であって、円形の化粧ガイド表示４の中心で直交する一対の直線で形成された指示標識５ａ、５ｂを、３０度ずつずらしながら３組設けている。これらの３組の指示標識５ａ、５ｂは、互いに識別出来るように、組み合わせごとに色分けしたり、線の太さや種類を変えることが好ましい。  
【００２５】
第三実施態様の化粧料容器の使用方法は、第一および第二実施態様のものと同様であり、３組の直交する指示標識５ａ、５ｂの中からいずれか任意の１組を選択し、それらのうちの垂直方向の指示標識５ａ（あるいは５ｂ）の延長線が使用者の黒目の中心を、また、水平方向の指示標識５ｂ（あるいは５ａ）の延長線が使用者の小鼻の中心を指し示すようにして位置決めを行う。
【００２６】
第三実施態様の化粧料容器において、容器の角度がずれている場合は、もっとも垂直もしくは水平に近いところに位置する指示標識５ａないし５ｂを垂直もしくは水平に合わせることで、位置決め作業を行うことが可能となる。このように、複数組の指示標識５ａ、５ｂを所定の中心角度内でずらしながら設けることで、本実施態様の場合は最大でも３０／２＝１５度の範囲で左右いずれかに軸回転させればよいため、容器の角度調整が必要最低限で済み、化粧開始点の位置決め作業がより簡単になる。
【００２７】
図２（ｄ）は、本発明の化粧ガイド表示４の第四実施態様であって、円形の化粧ガイド表示４の円周付近に、一定の間隔をおいて複数種類の指示標識５を繰り返し複数組表示したものである。具体的には、月、星、太陽の３つのパターンの印からなる指示標識５を４組形成している。そして、これらの指示標識５ａ、５ｂで同種のものを、対向する位置同士直線で結ぶと、化粧ガイド表示４の中心で直交する一対の仮想直線Ｘ、Ｙが形成される。このものの使用方法も、第一ないし第三実施態様のものと同様であり、仮想直線Ｘ、Ｙの延長線が指し示す方向を顔の任意に２点に合わせることで、化粧の開始点を位置決めすることができる。
【００２８】
また、図２（ｅ）は、本発明の化粧ガイド表示４の第五実施態様であって、このものは、指示標識５を鏡像文字５ｃと矢印５ｄにより構成する。具体的には、逆Ｔ字を形成する矢印のうち、上向き矢印の先端付近には「黒目」、横向き矢印の先端付近には「小鼻」の鏡像文字５ｃをそれぞれ表示している。これらの鏡像文字５ｃは、鏡に化粧ガイド表示４が映り込んだときに文字が反転するため、鏡の中であってもすぐに「黒目」、「小鼻」という鏡像文字５ｃを認識することができる。そして、「黒目」、「小鼻」が表示された矢印５ｄの延長線を使用者の黒目と小鼻に合わせることにより化粧開始点の位置決めができる。
【００２９】
また、図２（ｆ）は、本発明の化粧料容器であって、口紅容器の一部に設けた化粧ガイド表示４の一例を表す。本実施態様では、化粧ガイド表示４に唇を模式的に表した図５ｅと、化粧開始点を示す点５ｆ、および化粧料の塗布方向を示す矢印５ｇが表示されている。このように、容器の一部に化粧料を塗布する部位、化粧開始点、塗布方向などを模式的に図示することで、化粧の直前、または化粧をしながらでも、化粧開始点や塗布方向について確認することができる。  
【符号の説明】
【００３０】
１……本体部
２……パフ部
３……蓋部
４……化粧ガイド表示
５……指示標識
５ａ……指示標識
５ｂ……指示標識
５ｃ……鏡像文字
５ｄ……矢印
５ｅ……唇を模式的に表した図
５ｆ……化粧開始点を示す点
５ｇ……化粧料の塗布方向を示す矢印
１１……底面
【図１】
0003198371.tif 000003
【図２】
0003198371.tif 000004
【図３】
0003198371.tif 000005
【手続補正書】
【提出日】平成27年4月21日(2015.4.21)
【手続補正１】
【補正対象書類名】実用新案登録請求の範囲
【補正対象項目名】全文
【補正方法】変更
【補正の内容】
【実用新案登録請求の範囲】
【請求項１】
化粧時の使用部位の背面に相当する容器の一部に、少なくとも化粧の開始点を指示する指示標識を備えた化粧ガイド表示を設けた化粧料容器。
【請求項２】
前記化粧ガイド表示は、少なくとも２本の直線で構成される指示標識を備え、これらの直線が顔の任意の部位を指し示すように容器の位置をセットすることで化粧開始点を位置決めすることができる請求項１に記載の化粧料容器。
【請求項３】
前記化粧ガイド表示は、少なくとも２つの印で構成される指示標識を備え、これらの印と化粧ガイドの任意の部分とを結んだ仮想直線が顔の任意の部位を指し示すように容器の位置をセットすることで化粧開始点を位置決めすることができる請求項１に記載の化粧料容器。
【請求項４】
前記化粧ガイド表示において、所定の中心角度で設けられた前記指示標識を、所定の中心角度内のずらし幅でずらしながら複数組設けたことを特徴とする請求項１ないし３のいずれか１項に記載の化粧料容器。
【請求項５】
円形の化粧ガイド表示の円周付近に、一定の間隔をおいて複数種類の印からなる指示標識を繰り返し複数組表示し、これらの指示標識で対向する位置同士のものを結んで形成される仮想直線が顔の任意の部位を指し示すようにセットすることで化粧開始点を位置決めすることができる請求項１に記載の化粧料容器。
【請求項６】
前記化粧ガイド表示は、化粧料を塗布する部位、化粧開始点、塗布方向のいずれか、もしくはそれらの組み合わせを模式的に図示したことを特徴とする請求項１に記載の化粧料容器。
【請求項７】
前記化粧ガイド表示は、鏡像文字で構成される指示標識を備え、鏡に映り込んだそれらの鏡像文字を視認して化粧開始点を位置決めすることができる請求項１に記載の化粧料容器。